(57)【要約】【課題】  制御対象の機器の増加或いは変更に容易に対応することができるアプリケーション制御装置を提供する。【解決手段】  キーボードパネル２には複数のスイッチ１１がマトリクス状に配置されており、その表面上に投影機からボタン画像が投影される。ボタン画像とスイッチとは対応しており、例えば「戻る」ボタン１８がスイッチＡ１，Ｂ１に対応する。スイッチＡ１，Ａ２の何れかがオンしたときは、「戻る」ボタン１８がオンしたと判断し、「戻る」ボタン１８のオンに応じた操作を実行する。従って、アプリケーションが増加或いは変更された場合は、キーボードパネルに投影するボタン画像を増加或いは変更することにより容易に対応することができる。【選択図】  図１２
2005071151.tif 000002
【特許請求の範囲】
【請求項１】
複数のスイッチを有した面状の入力手段と、
この入力手段の表面に所定のボタン画像を投影する投影手段と、
前記投影手段から前記入力手段に投影されたボタン画像と当該ボタン画像の投影領域に位置するスイッチとの対応関係を記憶した記憶手段と、
実行するアプリケーションに応じて所定のボタン画像を前記投影手段から前記入力手段に投影すると共に、前記入力手段のスイッチがオンしたときは、前記記憶手段に記憶されているボタン画像の投影領域とスイッチとの対応関係に基づいてオンしたボタンを判断し、当該ボタンがオンしたことに応じてアプリケーションを実行する制御手段とを備えたことを特徴とするアプリケーション制御装置。
【請求項２】
前記スイッチは、複数の隣接したキースイッチから構成され、
前記制御手段は、キースイッチがオンしたときは、当該キースイッチが所属するスイッチに対応したボタンがオンしたと判断することを特徴とする請求項１記載のアプリケーション制御装置。
【請求項３】
前記スイッチ間に補助スイッチを設け、
前記記憶手段は、前記入力手段に投影されるボタン画像と当該ボタン画像の投影領域に位置する前記補助スイッチとの対応関係を記憶し、
前記制御手段は、前記補助スイッチがオンしたときは、前記記憶手段に記憶されているボタン画像と前記補助スイッチとの関係に基づいてオンしたボタンを判断し、当該ボタンがオンしたことに応じてアプリケーションを実行することを特徴とする請求項２記載のアプリケーション制御装置。
【請求項４】
前記入力手段はタッチパネルであり、
前記制御手段は、前記タッチパネルの所定領域をスイッチに設定することを特徴とする請求項１記載のアプリケーション制御装置。
【請求項５】
前記制御手段は、前記入力手段の何れかのスイッチがオンしたときに前記投影手段を動作させることを特徴とする請求項１ないし４の何れかに記載のアプリケーション制御装置。
【請求項６】
前記制御手段は、前記入力手段のスイッチのオフ状態が所定時間継続したときは前記投影手段の動作を停止することを特徴とする請求項１ないし５の何れかに記載のアプリケーション制御装置。
【発明の詳細な説明】
【技術分野】
【０００１】
本発明は、投影手段からボタン画像が投影された入力手段に対する操作に応じてアプリケーションを実行するアプリケーション制御装置に関する。
【背景技術】
【０００２】
近年、例えば車両には各種の車載機器が搭載されており、それらに対する操作を一元管理することが望まれているものの、各車載機器に対応したスイッチの全てを設けることは困難であると共に、操作性が悪い。
【特許文献１】特開平９−２１２３０１号公報
【発明の開示】
【発明が解決しようとする課題】
【０００３】
近年、例えば車両には各種の車載機器が搭載されており、それらに対する操作を一元管理することが望まれているものの、各車載機器に対応したスイッチの全てを設けることは困難であると共に、操作性が悪い。
特開平９−２１２３０１号公報のものでは、タッチパネルにプラントの全体のシステム画面を表示すると共に、表示画面における所定部位がタッチ操作されそうになったときは、その部位に関連した詳細項目を表示し、その詳細項目のうち最終的にタッチ操作されたときに初めてタッチ操作された項目の機能を実行することが開示されている。従って、このような機能を車載機器のスイッチに適用するには、表示器に操作可能な車載機器の名称或いは外形を表示しておき、そのうちの何れかの車載機器がタッチ操作されそうになったときは、その車載機器に関連したスイッチを表示し、最終的にタッチ操作されたスイッチに応じて車載機器を制御するというものである。
【０００４】
しかしながら、このような構成では、車載機器の数が増加した場合、或いは車載機器が変更となった場合は、表示画面の変更が困難であるという問題がある。
本発明は上記事情に鑑みてなされたものであり、その目的は、制御対象の機器の増加或いは変更に容易に対応することができるアプリケーション制御装置を提供することにある。
【課題を解決するための手段】
【０００５】
請求項１の発明によれば、制御手段は、アプリケーションに対応したボタン画像を投影手段から入力手段に対して投影するので、入力手段の表面にはボタン画像が表示される。
さて、使用者がボタン画像を操作すると、ボタン画像の投影領域に位置するスイッチがオンするので、制御手段は、記憶手段に記憶された対応関係に基づいてスイッチに対応するボタンを判断し、当該ボタンがオンしたことに応じてアプリケーションを実行する。これにより、アプリケーションの増加或いは変更する場合は、投影手段からのボタン画像を増加或いは変更すると共に、記憶手段に記憶する対応関係を増加或いは変更するだけで済むので、容易に対応することができる。
【０００６】
請求項２の発明によれば、複数の隣接したキースイッチからなるグループを一つのボタンに対応させるようにしたので、一つのキースイッチを一つのボタンに対応させる構成に比較して、ボタンに対する操作を確実に検出することができる。
請求項３の発明によれば、スイッチ間に位置する補助スイッチがオンしたときは、制御手段は、補助スイッチに対応するボタンがオンしたと判断するので、スイッチが間欠的に設けられている場合であっても、ボタンに対する操作を確実に検出することができる。
【０００７】
請求項４の発明によれば、タッチパネルのスイッチの位置、大きさ、形状を任意に変更することができるので、アプリケーションにフレキシブルに対応することができる。
請求項５の発明によれば、投影手段を必要なタイミングで動作させることができるので、ボタン画像を適切なタイミングで入力手段に投影開始することができる。
請求項６の発明によれば、投影手段を必要な期間だけ動作させることができるので、ボタン画像を適切な期間だけ入力手段に投影することができる。
【発明を実施するための最良の形態】
【０００８】
（第１の実施の形態）
以下、本発明の第１の実施の形態を図１ないし図１６に基づいて説明する。
図２は、車室内のダッシュボードを示している。この図２において、助手席側のダッシュボード１には、本発明に関連したキーボードパネル（入力手段に相当）２が設けられていると共に、投影ＯＮボタン３及び投影ＯＦＦボタン４が設けられており、運転席或いは助手席から操作可能となっている。
【０００９】
図３はキーボードパネル２の平面を示し、図４はその断面を模式的に示している。これらの図３及び図４において、キーボードパネル２は、プリント配線基板或いはフレキシブル基板などの配線基板５上に複数の固定接点６を実装すると共に、その配線基板５の表面を保護シート７で被覆して構成されている。この保護シート７において固定接点６と対向する部位には凸状弾性部７ａが形成され、その裏面に可動接点８（図５参照）が設けられてキースイッチ９が構成されている。本実施の形態では、キースイッチ９は、８行３３列のマトリクス状に複数配設されており（図３で示す二点鎖線領域は１行のキースイッチ群を示している）、可動接点８が固定接点６に接触することによりキースイッチ９がオンするようになっている。通常においては、図５に示すように可動接点８は固定接点６から離間することによりキースイッチ９がオフしており、保護シート７の凸状弾性部７ａに対して力が作用すると、図６に示すように可動接点８が湾曲して固定接点６と接触することによりキースイッチ９がオンする。
【００１０】
図７は、キースイッチ９のオン／オフを判断するキーボードコントローラを示している。この図７において、キーボードコントローラ１０は、図７に示すように各キースイッチ９の導通状態を監視しており、導通状態でキースイッチ９がオンしたと判断し、そのことを外部に通知する。
本実施の形態では、図８に示すように横方向に隣接する３個のキースイッチ９で一つのグループ（以下、単にスイッチと称する）１１を形成しており、何れかのキースイッチ９がオンしたときは、キーボードコントローラ１０は、オンしたキースイッチが所属するスイッチ１１がオンしたと判断するようになっている。この場合、横方向に隣接する３個のキースイッチ９で一つのスイッチ１１を形成していることから、キーボードパネル２には、スイッチ１１が８行１１列のマトリクス状に複数配設されていることになる。
【００１１】
図９は、車室内を概略的に示している。この図９において、車室内の天井となる部位には投影機（投影手段に相当）１２が設置されており、投影キーボードの機能がオンしている状態では、投影機１２からの画像がキーボードパネル２全体に投影されるようになっている。この場合、キーボードパネル２の表面に位置する保護シート７は乱反射性が高いので、キーボードパネル２に投影された画像の視認性は高い。
【００１２】
図１は全体の電気的構成を概略的に示すブロック図である。この図１において、カーナビゲーション１３の制御部（制御手段に相当）１４は、図示しないＣＰＵ、ＲＯＭ、ＲＡＭ、入出力インタフェース及びそれらを接続するバスライン等からなり、そのソフトウエア的構成（プログラムの実行）により、車両の現在位置を知るロケーション機能、ユーザの指定（検索）した目的地までの経路を探索し案内する経路探索，案内機能（ルートガイダンス機能）等のナビゲーション処理を実行するようになっている。
【００１３】
例えばフルカラー液晶ディスプレイからなるディスプレイ１６は、その表面に操作スイッチとして機能するタッチパネルが設けられており、使用者が表示される地図の指定等のコマンド入力や経路探索に係る目的地の指定（選択）等を行うことができるようになっている。
メモリー（記憶手段に相当）１５には、カーナビゲーション、車載製品制御、ブラウザー、車両設定などの各メニュー画面および制御画面などの投影画像が登録されていると共に、投影画像におけるボタン画像と当該ボタン画像の投影領域に位置するスイッチ１１との対応関係などの投影情報が登録されている。制御部１４は、通信部１７を介して車載機器との車内通信機能を有しており、メモリー１５に登録されていない車載製品が車両に搭載されたときは、当該車載製品の投影情報を車内通信を用いて各車載製品から取込むことができる。また、制御部１４は、図示しない携帯電話機などの通信装置を介した車外通信機能を有しており、車載製品の投影情報を車内通信を通じて取込むことができなかったときは、車外通信を通じて車載製品の販売会社が運営しているインターネットのサイトにアクセスして取込むようになっている。
【００１４】
次に上記構成の作用について説明する。
使用者が投影キーボードの機能を使用したい場合は、ダッシュボード１に設けられている投影ＯＮボタン３を操作する。
図１０は制御部１４による投影キーボード機能の動作を示すフローチャートである。この図１０において、カーナビゲーション１３の制御部１４は、投影ＯＮボタン３がオンしたときは（Ｓ１０１：ＹＥＳ）、投影キーボード機能をオンする（Ｓ１０２）。これにより、投影機１２が機能するようになる。
【００１５】
続いて、メモリー１５から図示しないトップメニュー画面を読出して投影機１２からキーボードパネル２に投影する（Ｓ１０３）。このトップメニュー画面では、制御対象を示すボタン画像を投影するようになっている。この制御対象とは、カーナビゲーション、車載製品、ブラウザー、車両設定などであり、スイッチ１１がオンしたときは、キーボードコントローラ１０は、オンしたスイッチ１１をカーナビゲーション１３へ通知する。
【００１６】
使用者がキーボードパネル２に投影されている制御対象を押圧操作すると、カーナビゲーション１３の制御部１４は、キーボードコントローラ１０からの通知に応じて操作されたと判断し（Ｓ１０４：ＹＥＳ）、オンしたスイッチ１１に応じて各操作を実行する（Ｓ１１０）。具体的には、使用者が例えば「カーナビゲーション」ボタンに対応したスイッチを押圧操作したときは、カーナビゲーション１３の制御部１４は、メモリー１５に記憶されている投影情報に基づいてオンしたスイッチ１１がカーナビゲーションを示していると判断し、カーナビゲーション１３用のアプリケーション画面をキーボードパネル２に投影する。
【００１７】
図１１は、カーナビゲーション１３用のアプリケーション画面の一つである登録地点の名称入力モードの５０音入力画面を示している。この図１１において、５０音入力画面には、「戻る」ボタン１８、「修正」ボタン１９、「完了」ボタン２０がキーボードパネル２の所定領域に投影されると共に、５０音ボタン２１が所定領域に投影される。この場合、カーナビゲーション１３は、５０音入力画面をキーボードパネル２に投影したときは、メモリー１５に記憶されている情報に基づいて図１２に示すような関係となるように各ボタン画像と各スイッチとを対応させる。つまり、「戻る」ボタン１８をスイッチＡ１，Ｂ１に対応させ、「修正」ボタン１９をスイッチＤ２，Ｅ２に対応させ、「完了」ボタン２０をスイッチＡ８，Ｂ８に対応させると共に、「あ行」ボタンをスイッチＡ３〜Ａ７に対応させ、「か行」ボタンをスイッチＢ３〜Ｂ７に対応させ、「わ」、「を」、「ん」ボタンをスイッチＪ３〜Ｊ５に対応させ、「゛」、「゜」、「−」ボタンをスイッチＫ３〜Ｋ５に対応させる。
【００１８】
また、図１１に示すように「名称を入力してください」というメッセージをキーボードパネル２の所定領域に投影すると共に、現在の登録件数を示す数字を所定領域に表示する。これらのメッセージおよび数字は押圧操作されることがないから、カーナビゲーション１３は、それらをスイッチ１１と対応させることはない。
さて、使用者が登録地点の名称を入力するために、所望の５０音ボタン２１を押圧操作すると、押圧操作された５０音ボタン２１に対応したスイッチ１１がオンするので、キーボードコントローラ１０は、オンしたスイッチ１１をカーナビゲーション１３の制御部１４に通知する。
【００１９】
カーナビゲーション１３の制御部１４は、５０音ボタン２１に対応してスイッチがオンしたときは、当該スイッチ１１に対応した文字を図１１に示す「名称を入力してください」の投影領域に順に表示する。このとき、入力文字を間違えたときは、「修正」ボタン１９の投影領域を押圧操作すると、「修正」ボタン１９に対応したスイッチＤ２，Ｅ２の何れかがオンするので、制御部１４は、直前に入力した文字を削除して新規な文字の入力待機状態となる。
以上のようにして登録地点の文字入力が終了したときは、「完了」ボタン２０の投影領域を押圧操作する。すると、「完了」ボタン２０に対応したスイッチＡ８，Ｂ８の何れかがオンするので、制御部１４は、元のメニュー画面を投影するようになる。
【００２０】
また、メニュー画面に対する押圧操作により登録地点の住所入力モードにおいて番地入力が必要となったときは、制御部１４は、図１３に示すテンキー入力画面を投影機１２からキーボードパネル２に投影する。これにより、「戻る」ボタン１８、「修正」ボタン１９、「完了」ボタン２０がキーボードパネル２の所定領域に投影されると共に、テンキーの数字ボタン２２が所定領域に投影される。この場合、制御部１４は、テンキー入力画面をキーボードパネル２に投影したときは、図１４に示すような関係となるように各ボタン画像と各スイッチとを対応さえる。つまり、「戻る」ボタン１８をスイッチＡ１，Ｂ１に対応させ、「修正」ボタン１９をスイッチＡ３、Ｂ３に対応させ、「完了」ボタン２０をスイッチＢ７〜Ｄ７に対応させ、テンキーの数字ボタン２２をスイッチ「Ｈ４〜Ｊ４」、「Ｅ４〜Ｇ４」、……「Ｅ７〜Ｇ７」に対応させる。
【００２１】
また、メニュー画面に対する押圧操作により電話帳のメニュー選択が選択されたときは、制御部１４は、図１５に示すメニュー選択画面を投影機１２からキーボードパネル２に投影する。これにより、「ＪＡＦ」ボタン２３、「道路交通情報センター」ボタン２４、「メモリー地点」ボタン２５、「目的地」ボタン２６がキーボードパネル２の所定領域に投影されると共に、丸１〜丸５ボタン２７〜３１がキーボードパネル２の所定領域に投影される。この場合、制御部１４は、メニュー選択画面をキーボードパネル２に投影したときは、図１６に示すような関係となるように各ボタン画像と各スイッチとを対応させる。つまり、「ＪＡＦ」ボタン２３をスイッチＡ３〜Ｊ３に対応させ、「道路交通情報センター」ボタン２４をスイッチＡ４〜Ｊ４に対応させ、「メモリー地点」ボタン２５をスイッチＡ５〜Ｊ５に対応させ、「目的地」ボタン２６をスイッチＡ６〜Ｊ６に対応させ、「丸１」ボタン２７をスイッチＩ８，Ｊ８に対応させ、「丸２」ボタン２８をスイッチＧ８，Ｈ８に対応させ、「丸３」ボタン２９をスイッチＥ８，Ｆ８に対応させ、「丸４」ボタン３０をスイッチＣ８，Ｄ８に対応させ、「丸５」ボタン３１をスイッチＡ８，Ｂ８に対応させる。
【００２２】
尚、制御部１４は、図１０に示すように使用者により投影ＯＦＦボタン４が操作されたときは（Ｓ１０９：ＹＥＳ）、投影キーボードの機能をオフする（Ｓ１０８）。また、キーボードパネル２に対して操作されていない場合において（Ｓ１０４：ＮＯ）、タイマーがオンしていないときは（Ｓ１０５：ＮＯ）、タイマーをオンし（Ｓ１１１）、次の操作が行われることなく設定時間が経過したときは（Ｓ１０６：ＹＥＳ）、タイマーをオフしてから（Ｓ１０７）、投影キーボードをオフする（Ｓ１０８）。
【００２３】
このような実施の形態によれば、車室内の所定部位に設けられたキーボードパネル２に対して投影機１２からアプリケーションに応じたボタン画像を投影し、使用者による押圧操作に応じてスイッチ１１がオンしたときは、当該スイッチ１１に対応したボタンがオンしたと判断し、オンしたボタンに応じてアプリケーションの各操作を実行するようにしたので、制御対象の車載製品の増加或いは変更する場合は、車載製品に応じて投影機１２から投影するボタン画像を増加或いは変更すると共に、メモリー１５に記憶する対応関係を増加或いは変更するだけで済み、容易に対応することができる。
【００２４】
また、隣接した複数のキースイッチ９から一つのスイッチ１１を構成し、何れかのキースイッチ９がオンしたときは、当該キースイッチ９が所属するスイッチ１１に対応するボタンがオンしたと判断するようにしたので、一つのキースイッチを一つのボタンに対応させる構成に比較して、キースイッチに対する操作を確実に検出することができる。
また、キーボードパネル２に対する操作が所定時間行われることがないときは、投影キーボードの機能をオフするようにしたので、投影機１２から無駄な投影を行ってしまうことを防止できる。
さらに、タッチパネルのように付着した指紋が見えてしまうことはないので、使用者が不快感を覚えることはない。
【００２５】
（第２の実施の形態）
次に本発明の第２の実施の形態を図１７ないし図２３に基づいて説明する。この第２の実施の形態は、キーボードパネル２のスイッチ１１の補助として補助スイッチを設けたことを特徴とする。
【００２６】
図１７は、スイッチ１１の配置を示している。この図１７において、図示横方向に隣接するスイッチ間に第１の補助スイッチ３２が設けられ、図示縦方向に隣接するスイッチ間に第２の補助スイッチ３３が設けられ、斜めに対向するスイッチ間に第３の補助スイッチ３４が設けられている。この場合、第１ないし第３の補助スイッチ３２〜３４を図１７に示すように一緒に設けるようにしてもよいし、独立して設けるようにしてもよい。第１の補助スイッチ３２のみを設けたときは図１８に示すようなスイッチ配置となり、第２の補助スイッチ３３のみを設けたときは図１９に示すようなスイッチ配置となり、第３の補助スイッチ３４のみを設けたときは図２０に示すようなスイッチ配置となる。また、第１ないし第３の補助スイッチ３２〜３４を任意に組合せて設けることも可能である。
【００２７】
この場合、メモリー１５にはアプリケーションに応じたボタン画像とスイッチ１１との対応関係に加えて、アプリケーションに応じてボタン画像の投影領域と当該ボタン画像の投影領域に位置する補助スイッチ３２〜３４との対応関係が記憶されている。
５０音入力の対応関係を示す図２１において、「戻る」ボタン１８、「修正」ボタン１９、「完了」ボタン２０は、基本的なスイッチ１１に加えて、それらのスイッチ１１に挟まれた第１の補助スイッチ３２も各ボタンに対応するようになっている。
【００２８】
また、住所入力モードにおけるテンキー入力の対応関係を示す図２２において、５０音ボタン２１は、スイッチ１１に加えて第１の補助スイッチ３２に対応するようになっている。
また、電話帳モードにおけるメニュー選択の対応関係を示す図２３において、各メニューボタンは、スイッチ１１に加えて第１の補助スイッチ３２に対応するようになっている。
【００２９】
そして、カーナビゲーション１３の制御部１４は、キーボードコントローラ１０から補助スイッチ３２〜３４がオンしたことが通知されたときは、メモリー１５に記憶されているボタン画像と補助スイッチ３２〜３４との対応関係に基づいてオンしたボタンを判断し、当該ボタンに応じてアプリケーションを実行する。
このような実施の形態によれば、基本的なスイッチ１１間に補助スイッチ３２〜３４を設け、これらの補助スイッチ３２〜３４に対する押圧操作でも対応するボタンがオンしたと判断するようにしたので、スイッチ１１が間欠的に設けられている構成であっても、使用者による操作を確実に検出することができる。
尚、基本的なスイッチ１１に加えて第１ないし第３の補助スイッチ３２〜３４を一緒に設け、アプリケーションに応じて所定の補助スイッチ３２〜３４の何れかを有効にしてもよい。
【００３０】
（第３の実施の形態）
次に本発明の第３の実施の形態を図２４ないし図２６に基づいて説明する。この第３の実施の形態は、キーボードパネルに代えてタッチパネルを用いたことを特徴とする。
本実施の形態のタッチパネルとしては、投影機１２からの投影画像を乱反射させるものが望ましい。
登録地点モードの５０音入力画面を示す図２４、住所入力モードのテンキー入力画面を示す図２５、電話帳モードのメニュー選択画面を示す図２６において、タッチパネル（入力手段に相当）４１は、スイッチ領域を任意に設定することができることから、投影機１２から投影するボタン画像の位置、大きさ、形状に応じてスイッチの位置、大きさ、形状を任意に設定することができる。
【００３１】
このような実施の形態によれば、キーボードパネルに代えてタッチパネル４１を設け、そのタッチパネル４１に投影機１２からのボタン画像を投影するようにしたので、ボタン画像に合わせてスイッチの位置、大きさ、形状を任意に設定することができる。従って、アプリケーションとして投影するボタン画像の位置、大きさ、形状に変化を持たせることができるので、多様なアプリケーションに対応することができる。
【００３２】
（第４の実施に形態）
次に本発明の第４の実施の形態を図２７及び図２８に基づいて説明する。この第４の実施の形態は、投影キーボードの機能のオンをタッチパネルに対するタッチ操作で行うようにしたことを特徴とする。
タッチパネル４１を示す図２７において、投影ＯＮボタンは省略されており、投影ＯＦＦボタン４のみが設けられている。
【００３３】
カーナビゲーション１３の制御部１４の動作を示す図２８において、制御部１４は、タッチパネル４１がタッチ操作された際に（Ｓ２０１：ＹＥＳ）、投影キーボードがオンしていないときは（Ｓ２０２：ＮＯ）、投影キーボードをオンし（Ｓ２０５）、トップメニューを表示する（Ｓ２０６）。また、タッチパネル４１がタッチ操作されることなく（Ｓ２０１：ＮＯ）、投影キーボードオンの状態が設定時間継続したときは（Ｓ２０９：ＹＥＳ）、タイマーをオフしてから（Ｓ２１０）、投影キーボードをオフする（Ｓ２１１）。
【００３４】
このような実施の形態によれば、使用者がタッチパネル４１にタッチ操作したときは、投影キーボードの機能をオンするようにしたので、投影ＯＮボタンを廃止することができ、構成を簡単化することができると共に、操作勝手を良好とすることができる。
また、使用者がタッチパネル４１にタッチ操作しない状態が所定時間継続したときは、投影キーボードの機能をオフするようにしたので、タッチパネル４１に対するタッチ操作により投影キーボードの機能を容易に継続することができ、使い勝手が良好である。
尚、タッチパネル４１に代えてキーボードパネル２を設けるようにしてもよく、この場合は、何れかのキースイッチがオンしたときに、投影キーボードの機能をオンする。
【００３５】
（第５の実施の形態）
次に本発明の第５の実施の形態を図２９に基づいて説明する。この第５の実施の形態は、投影ＯＮボタンに加えて投影ＯＦＦボタンも省略したことである。
ボタン画像とスイッチとの対応関係を示す図２９において、タッチパネル４１には「投影ＯＦＦ」ボタン５１が投影されており、カーナビゲーション１３の制御部１４は、「投影ＯＦＦ」ボタンの投影領域に位置するスイッチがタッチ操作されたときは、投影キーボードの機能をオフするようになっている。
この場合、カーナビゲーション１３の制御部１４の動作は、第４の実施の形態を示す図２８と同一である。つまり、タッチパネル４１にタッチ操作されたときに投影キーボードの機能をオンし、タッチ操作されない状態が設定時間以上継続するか、「投影ＯＦＦ」ボタン５１がタッチ操作されたときに投影キーボードの機能をオフする。
【００３６】
このような実施の形態によれば、「投影ＯＦＦ」ボタン５１をタッチパネル４１に投影し、その「投影ＯＦＦ」ボタン５１に対応したスイッチがタッチ操作されたときは、投影キーボードの機能をオフするようにしたので、投影ＯＮボタンに加えて投影ＯＦＦボタンも省略することができ、全体構成を簡単化することができると共に、操作性も良好とすることができる。
【００３７】
（第６の実施の形態）
次に本発明の第６の実施の形態を図３０ないし図３４に基づいて説明する。この第６の実施の形態は、タッチパネル４１をステアリングに設けた点である。
図３０はステアリングを示している。この図３０において、ステアリング６１の中央にはタッチパネル４１が設けられており、車室内の天井に設けられた投影機１２からタッチパネル４１にボタン画像を投影するようになっている。
【００３８】
カーナビゲーション１３の電気的構成を概略的に示す図３１において、カーナビゲーション１３は、ステアリング６１との間で車内通信することによりステアリング６１の操作角度を検出するようになっている。
図３２は、カーナビゲーション１３の制御部１４の動作のうち投影角度変更動作を示している。この図３２において、制御部１４は、投影キーボードの機能がオンの状態では（Ｓ３０１：ＹＥＳ）、ステアリング角度を検出し（Ｓ３０２）、投影機１２による投影回転角を変更する（Ｓ３０３）。つまり、投影機１２からキーボードパネル２に投影されるボタン画像は、ステアリング６１の角度に同期して回転するようになっている。
【００３９】
図３３は、ステアリング６１が中立位置での５０音入力画面を示し、図３４は、ステアリング６１が所定角度回転した状態での５０音入力画面を示している。
このような実施の形態によれば、タッチパネル４１をステアリング６１に設けるようにしたので、運転者による操作性を良好としながら、ステアリング６１の回転操作に対応することができる。
【００４０】
（その他の実施の形態）
本発明は、上記各実施の形態に限定されることなく、次のように変形または拡張できる。
図３５に示すようにキーボードパネル２（或いはタッチパネル４１）を車室内の天井に設け、そのキーボードパネル２に投影機１２からの画像を投影したり、図３６に示すようにキーボードパネル２を前席のシート７１の背面またはヘッドレスト７２に設け、それらに投影機１２からのボタン画像を投影したりするようにしてもよい。
【００４１】
アプリケーションに応じて自動で投影が開始および終了するように設定可能な自動投影手段を設けるようにしてもよい。
新たな車載機器を車両に搭載したときは、外部機器との通信によりスイッチ操作に関する情報を取込むことにより新たな車載機器にも対応可能な情報入手手段を設けるようにしてもよい。
【００４２】
キーボードパネル２（或いはタッチパネル４１）に投影したボタンが操作された場合に、操作されたボタンの色や形状などを変化させて強調したり、確認音を報知したりする認識手段を設けるようにしてもよい。
本発明を車両に限らず、工場のシステム制御或いはプラント制御に適用するようにしてもよい。
【図面の簡単な説明】
【００４３】
【図１】本発明の第１の実施の形態における電気的構成を示すブロック図
【図２】車両のダッシュボードを示す図
【図３】キーボードパネルの正面図
【図４】キーボードパネルの断面を示す模式図
【図５】オフ状態のキースイッチを示す模式図
【図６】オン状態のキースイッチを示す模式図
【図７】キースイッチとキーボードコントローラとの接続を示す図
【図８】キースイッチとスイッチとの対応関係を示す平面図
【図９】投影機からの投影領域を示す図
【図１０】カーナビゲーションの制御部の動作を示すフローチャート
【図１１】キーボードパネルに投影された５０音入力画面を示す図
【図１２】５０音入力画面のボタン画像とスイッチとの関係を示す図
【図１３】キーボードパネルに投影された住所入力画面を示す図
【図１４】住所入力画面のボタン画像とスイッチとの関係を示す図
【図１５】キーボードパネルに投影された電話帳画面を示す図
【図１６】電話帳画面のボタン画像とスイッチとの関係を示す図
【図１７】本発明の第２の実施に形態におけるスイッチと補助スイッチとの配列を示す図
【図１８】第１の補助スイッチを用いた構成を示すスイッチの配列図
【図１９】第２の補助スイッチを用いた構成を示すスイッチの配列図
【図２０】第３の補助スイッチを用いた構成を示すスイッチの配列図
【図２１】第１の補助スイッチを用いた構成を示す図１２相当図
【図２２】第１の補助スイッチを用いた構成を示す図１４相当図
【図２３】第１の補助スイッチを用いた構成を示す図１６相当図
【図２４】本発明の第３の実施の形態を示す図１２相当図
【図２５】図１４相当図
【図２６】図１６相当図
【図２７】本発明の第４の実施の形態におけるキーボードパネル及び投影ＯＦＦボタンを示す図
【図２８】図１０相当図
【図２９】本発明の第５の実施の形態を示す図１２相当図
【図３０】本発明の第６の実施の形態を示す図２相当図
【図３１】図１相当図
【図３２】カーナビゲーションの制御部による投影角度変更動作を示すフローチャート
【図３３】投影機からの投影状態で示す図３０相当図
【図３４】ステアリングの回転操作状態で示す図３０相当図
【図３５】本発明のその他の実施の形態を示す図９相当図
【図３６】本発明のその他の実施の形態を示す図９相当図
【符号の説明】
【００４４】
２はキーボードパネル（入力手段）、３は投影ＯＮボタン、４は投影ＯＦＦボタン、９はキースイッチ、１１はスイッチ、１２は投影機（投影手段）、１３はカーナビゲーション、１４は制御部（制御手段）、１５はメモリー（記憶手段）、４１はタッチパネル（入力手段）である。
【図１】
2005071151.tif 000003
【図２】
2005071151.tif 000004
【図３】
2005071151.tif 000005
【図４】
2005071151.tif 000006
【図５】
2005071151.tif 000007
【図６】
2005071151.tif 000008
【図７】
2005071151.tif 000009
【図８】
2005071151.tif 000010
【図９】
2005071151.tif 000011
【図１０】
2005071151.tif 000012
【図１１】
2005071151.tif 000013
【図１２】
2005071151.tif 000014
【図１３】
2005071151.tif 000015
【図１４】
2005071151.tif 000016
【図１５】
2005071151.tif 000017
【図１６】
2005071151.tif 000018
【図１７】
2005071151.tif 000019
【図１８】
2005071151.tif 000020
【図１９】
2005071151.tif 000021
【図２０】
2005071151.tif 000022
【図２１】
2005071151.tif 000023
【図２２】
2005071151.tif 000024
【図２３】
2005071151.tif 000025
【図２４】
2005071151.tif 000026
【図２５】
2005071151.tif 000027
【図２６】
2005071151.tif 000028
【図２７】
2005071151.tif 000029
【図２８】
2005071151.tif 000030
【図２９】
2005071151.tif 000031
【図３０】
2005071151.tif 000032
【図３１】
2005071151.tif 000033
【図３２】
2005071151.tif 000034
【図３３】
2005071151.tif 000035
【図３４】
2005071151.tif 000036
【図３５】
2005071151.tif 000037
【図３６】
2005071151.tif 000038